(57)【要約】【課題】吸汗材の肌に対する密着性を向上させた使い捨ておむつを提供することを目的とする。【解決手段】前身頃１０Ｆと、後身頃１０Ｒと、前後方向における端部領域が前身頃１０Ｆおよび後身頃１０Ｒとに跨って位置する吸収体１８を備えた吸収性本体１６とを備えた使い捨ておむつ１０であって、後身頃１０Ｒにおける肌と接する面において、胴周り開口部１０Ａ側を開口端２１Ａとし、吸汗材２３を収容可能としたポケット２１とを備え、ポケット２１は、吸収体１８の背側端部１８Ｘと重ならず、背側端部１８Ｘよりも胴周り開口部１０Ａの近くに位置する。ポケット２１の胴周り方向の長さＬ１は、背側端部１８Ｘにおける胴周り方向の長さＬ２と同じまたは広い。開口端２１Ａは、胴周り開口部１０Ａよりも背側端部１８Ｘ側に位置する。【選択図】図２
2019216918.tif 000002
【特許請求の範囲】
【請求項１】
前身頃と、後身頃と、前記前身頃および前記後身頃に跨って位置して股下部を構成するとともに吸収体を有する吸収性本体とを備えた使い捨ておむつであって、
前記前身頃および前記後身頃の何れか一方における肌と接する面において、胴周り開口部側を開口端としたポケットであって、吸汗材を収容可能とした前記ポケットを備え、
前記ポケットは、前記吸収体と重ならないように位置している
使い捨ておむつ。
【請求項２】
前記ポケットの胴周り方向の長さは、前記ポケットが位置する身頃での前記吸収体の端部における前記胴周り方向の長さと同じ、または、前記吸収体の端部における前記胴周り方向の長さよりも広い
請求項１に記載の使い捨ておむつ。
【請求項３】
前記ポケットの開口端は、前記胴周り開口部よりも前記股下部側に位置する
請求項１または２に記載の使い捨ておむつ。
【請求項４】
前記ポケットを構成する部分における肌と接するシートは、疎水性シートに対して親水化処理を施して構成されている
請求項１ないし３のうち何れか１項に記載の使い捨ておむつ。
【請求項５】
前記ポケットを構成する部分における肌と接するシートは、多数の孔を備えている
請求項１ないし３のうち何れか１項に記載の使い捨ておむつ。
【請求項６】
前記ポケットを構成する部分における肌と接するシートは、親水性シートで構成されている
請求項１ないし３のうち何れか１項に記載の使い捨ておむつ。
【請求項７】
前記ポケットは、後身頃に設けられている
請求項１ないし６のうち何れか１項に記載の使い捨ておむつ。
【発明の詳細な説明】
【技術分野】
【０００１】
本発明は、吸汗材が配設される使い捨ておむつに関する。
【背景技術】
【０００２】
吸収性物品としての使い捨ておむつは、前身頃と、後身頃と、前身頃と後身頃とを繋ぐ股下部を構成する吸収性本体とを備えている。吸収性本体は、肌と接するトップシートと、吸収体と、肌とは反対側に配置されトップシートとで吸収体を挟み込むバックシートとを備えている。例えば、特許文献１の使い捨ておむつは、胴周り開口部側を開口端としたポケットを備えており、ポケットに対して、吸汗材を収容可能としている。これにより、着用者の背中の蒸れを防ぐようにしている。
【先行技術文献】
【特許文献】
【０００３】
【特許文献１】特開２０１８−３３７４８号公報
【発明の概要】
【発明が解決しようとする課題】
【０００４】
特許文献１の使い捨ておむつのポケットは、吸収体の前後方向の端部と重なるように設けられている。したがって、ポケットは、吸収体が存在する部分と存在しない部分とで構成される厚さ方向の段差に跨って設けられることになる。このようなポケットに対して吸汗材を収容したとしても、この段差によって、着用者の肌と吸汗材を収容したポケットとの間に隙間が生じてしまう。そして、この隙間部分では、吸汗材によって吸汗しづらくなってしまう。このように、使い捨ておむつの分野では、肌とおむつとの間での蒸れを抑えることが望まれる。
【０００５】
本発明は、吸汗材の肌に対する密着性を向上させた使い捨ておむつを提供することを目的とする。
【課題を解決するための手段】
【０００６】
上記課題を解決するための使い捨ておむつは、前身頃と、後身頃と、前記前身頃および前記後身頃に跨って位置して股下部を構成するとともに吸収体を有する吸収性本体とを備えた使い捨ておむつであって、前記前身頃および前記後身頃の何れか一方における肌と接する面において、胴周り開口部側を開口端としたポケットであって、吸汗材を収容可能とした前記ポケットを備え、前記ポケットは、前記吸収体と重ならないように位置している。
【０００７】
上記構成によれば、ポケットは、吸収体を跨ぐことなく、吸収体の厚みによる段差を避けた比較的平坦な位置に設けられる。したがって、ポケットに収容された吸汗材と肌との間に隙間が生じにくくなる。これにより、吸汗材によって汗などをしっかりと吸収することができる。
【０００８】
上記使い捨ておむつにおいて、前記ポケットの胴周り方向の長さは、前記ポケットが位置する身頃での前記吸収体の端部における前記胴周り方向の長さと同じ、または、前記吸収体の端部における前記胴周り方向の長さよりも広い構成としてもよい。上記構成によれば、吸収体の上を胴周り開口部の方向に流れた排泄物なども吸汗材で吸収することができ、背漏れの発生を抑えることができる。
【０００９】
上記使い捨ておむつにおいて、前記ポケットの開口端は、前記胴周り開口部よりも前記股下部側に位置する構成としてもよい。上記構成によれば、ポケットにおいて開口端からはみ出すように吸汗材を収容することができる。吸汗材は、ポケットからはみ出した部分ではよりしっかりと汗などの水分を吸収することができる。
【００１０】
上記使い捨ておむつにおいて、前記ポケットを構成する部分における肌と接するシートは、疎水性シートに対して親水化処理を施して構成されているようにしてもよい。上記構成によれば、当該シートを通じて水分を吸汗材に吸収させることができる。また、当該シートは、疎水性シートに対して親水化処理を施すだけでよく、製造が容易である。
【００１１】
上記使い捨ておむつにおいて、前記ポケットを構成する部分における肌と接するシートは、多数の孔を備えているようにしてもよい。上記構成によれば、当該シートを通じて水分を吸汗材に吸収させることができる。また、当該シートは、多数の孔をシートに対して形成するだけで容易に製造することができる。
【００１２】
上記使い捨ておむつにおいて、前記ポケットを構成する部分における肌と接するシートは、親水性シートで構成されているようにしてもよい。上記構成によれば、当該シートを通じて水分を吸汗材に吸収させることができる。また、当該シートは、親水性シートであるので容易に製造することができる。
【００１３】
上記使い捨ておむつにおいて、前記ポケットは、後身頃に設けられているようにしてもよい。上記構成によれば、背中の蒸れを抑えることができる。
【発明の効果】
【００１４】
本発明によれば、吸汗材の肌に対する密着性を向上させた使い捨ておむつを提供することができる。
【図面の簡単な説明】
【００１５】
【図１】本発明を適用したパンツ型使い捨ておむつの斜視図。
【図２】本発明を適用したパンツ型使い捨ておむつの平面図。
【図３】本発明を適用したパンツ型使い捨ておむつの断面図。
【図４】本発明を適用したパンツ型使い捨ておむつにおいて、ポケットに吸汗材を配置した状態を示す要部断面図。
【図５】本発明を適用したパンツ型使い捨ておむつの変形例において、ポケットに吸汗材を配置した状態を示す要部断面図。
【図６】本発明を適用したパンツ型使い捨ておむつの変形例において、ポケットに吸汗材を配置する状態を示す要部平面図。
【発明を実施するための形態】
【００１６】
図１ないし図６を参照して本発明を具体化した一実施形態におけるパンツ型使い捨ておむつについて説明する。
図１に示すように、パンツ型使い捨ておむつ１０（以下、単に「おむつ１０」という。）は、着用者の腹部形状に追従する形状を有する前身頃１０Ｆと、着用者の背部形状に追従する形状を有する後身頃１０Ｒと、前身頃１０Ｆおよび後身頃１０Ｒを繋ぐ股下部１０Ｃとを備える。
【００１７】
前身頃１０Ｆにおいて股下部１０Ｃと反対側は、着用者の胴周りの部分を取り囲む胴周り部１０Ｗを構成し、上端に、胴周り開口部１０Ａを備えている。また、前身頃１０Ｆにおける左右両端部、後身頃１０Ｒにおける左右両端部、および、股下部１０Ｃにおける左右両端部とは、着用者の太股部分を取り囲む形状を有した左右一対の脚周り開口部１０Ｌを構成している。前身頃１０Ｆと後身頃１０Ｒの胴周り方向の左右両端部は、接合部１１となっている。前身頃１０Ｆは、第１外装体１２Ｆで構成され、後身頃１０Ｒは、第２外装体１２Ｒで構成されている。
【００１８】
図２および図３に示すように、第１外装体１２Ｆおよび第２外装体１２Ｒは、胴周り方向を長手方向とした形状を有している。外装体を構成する外装シート１３（図３参照）は、一例として、ポリエチレン、ポリプロピレン、ポリエステル、その他の熱可塑性樹脂を原料とした合成繊維からなる不織布であり、また、透液性シート、不透液性シートであってもよい。なお、ここでは、不透液性シートが用いられている。そして、外装シート１３は、１枚のシート要素であり、胴周り開口部１０Ａで折り返されており、シート１３Ａ，１３Ｂ間に、弾性部材１５が挟まれて構成されている。弾性部材１５は、天然ゴム、合成ゴム、ウレタンなどから選ばれる１つ以上の材料により形成された弾性体であり、糸状、紐状、ネット状、平型形状に形成されている。弾性部材１５は、複数本が互いに平行に、胴周り方向に沿って配置されている。
【００１９】
なお、外装シート１３のうちで、着用者の肌側となる内側に位置するシート要素が第１胴周りシート１３Ａであり、外側に位置するシート要素が第２胴周りシート１３Ｂである。弾性部材１５は、第１胴周りシート１３Ａと第２胴周りシート１３Ｂとの間において、複数本が互いに平行に、胴周り方向に沿って配置されている。弾性部材１５は、伸縮することで、胴周り部１０Ｗにウェストギャザーを構成する。
【００２０】
なお、胴周り部１０Ｗの股下部１０Ｃ側には、一又は複数本のタミー弾性部材１５Ａが固定されている。具体的には、タミー弾性部材１５Ａは、外装シート１３の一部である第３胴周りシート１３Ｂとインナーシート１５Ｂとに挟まれ固定されている。これにより、胴周り部１０Ｗの下側には、タミー弾性部材１５Ａが伸縮することで、タミーギャザーが構成される。
【００２１】
第１外装体１２Ｆと第２外装体１２Ｒとは、股下部１０Ｃを構成する吸収性本体１６で連結される。吸収性本体１６は、前後方向を長手方向とした矩形形状を有している。吸収性本体１６は、液不透過性を有したバックシート１７と、吸収体１８と、液透過性を有したトップシート１９とを備えている。おむつ１０において、トップシート１９は、着用者の肌と接する内側に配置され、バックシート１７は、外側に配置され、外側から、バックシート１７、吸収体１８、トップシート１９の順に重なっている。
【００２２】
吸収体１８は、前身頃１０Ｆ、股下部１０Ｃ、および、後身頃１０Ｒに跨るように帯形状を有している。吸収体１８を形成する材料は、例えば、フラッフパルプ、高吸収性ポリマー（ＳＡＰ：Superabsorbent polymer）、親水性シートなどの吸収性材料である。吸収体１８は、一例として、親水性シートで構成されるコアラップ１８Ａによって包まれ、バックシート１７とトップシート１９との間に配置され接合される。さらに、バックシート１７の外側には、手触り感を向上させるために、不織布で構成されたカバーシート１７Ａを配置される。吸収性本体１６の前後方向における第１外装体１２Ｆおよび第２外装体１２Ｒと重なる領域の外面が第１外装体１２Ｆおよび第２外装体１２Ｒに対する被接着部となる。
【００２３】
トップシート１９は、例えば、織布、不織布、多孔性フィルムなどで形成されている。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。カバーシート１７Ａは、最外のシートであり、使用者に触れるシートであるため、手触り感を向上させる不織布などで構成されている。
【００２４】
吸収性本体１６には、前後方向に沿う両端部に立体ギャザーが配置されている。立体ギャザーは、トップシート１９に前後方向に沿う両端部にサイドシート１４Ｓを配置し、サイドシート１４Ｓに弾性部材１４Ｅを前後方向に沿って配置して構成されている。立体ギャザーは、弾性部材１４Ｅが収縮した際に、サイドシート１４Ｓが着用者の肌当接方向に向かって立ち上がり、脚周り開口部１０Ｌの周囲に位置する。
【００２５】
ところで、図３に示すように、後身頃１０Ｒには、胴周り部１０Ｗであって、胴周り開口部１０Ａに沿うようにしてポケット２１を備えている。ポケット２１は、吸収体１８の背側端部１８Ｘと胴周り開口部１０Ａとの間に設けられ、背側端部１８Ｘと重ならない位置に設けられている。また、ポケット２１の胴周り方向の長さＬ１は、背側端部１８Ｘの胴周り方向の長さＬ２より長く設定されている（図２参照）。このようなポケット２１は、凹部形状を備えており、胴周り開口部１０Ａに近い側の辺が開口端２１Ａとなっており、残りの３辺が閉じられている。開口端２１Ａは、胴周り開口部１０Ａと同じ位置、すなわち胴周り開口部１０Ａに沿うように位置していてもよいが、ここでの開口端２１Ａの位置は、胴周り開口部１０Ａより低い位置、すなわち股下部１０Ｃ側に寄って位置している。このように、ポケット２１の大きさは、ポケット２１に収容した吸汗材２３の一部が開口端２１Ａからはみ出す大きさとされている（図１参照）。これにより、ポケット２１に収容された吸汗材２３が直接着用者の肌と接する部分が設けられるようになる。
【００２６】
このように構成されたポケット２１は、後身頃１０Ｒにおいて、着用者の背中と接する第１胴周りシート１３Ａに対して、ポケットシート２２を配置することによって構成される。ポケットシート２２は、トップシート１９で使用しているような透液性シートであってもよいし、不透液性シートであってもよい。ここでは、ポケットシート２２に、疎水性シートに対して親水化処理を施したシート材を用いている。なお、ポケットシート２２には、親水性シートを用いてもよいし、疎水性シートに対して多数の微小孔などの孔を設けて、通気性や透水性としてもよい。
【００２７】
ポケットシート２２は、胴周り開口部１０Ａに近い側の辺（開口端２１Ａ）を除く３辺（２つの前後方向に延びる側辺と胴周り方向に延びる底辺）を第１胴周りシート１３Ａに対して接着することによって構成される。ポケットシート２２の第１胴周りシート１３Ａに対する接着部２２Ａは、ホットメルト接着剤によって行ってもよいし、熱溶着によって行うようにしてもよい。ポケットシート２２の第１胴周りシート１３Ａに対して接着される３つの辺は、第１胴周りシート１３Ａに対して隙間なく接着されていてもよい。また、接着部２２Ａは、ポケットシート２２が第１胴周りシート１３Ａに対して外れない程度であって、内部に吸汗材２３が収容可能な程度に固定されていればよい。
【００２８】
以上のように構成されたおむつ１０において、ポケット２１は、着用者に着用された際に、後身頃１０Ｒの胴周り部１０Ｗにおける肌と接する内面（第１胴周りシート１３Ａ上）に、開口端２１Ａを胴周り開口部１０Ａ側として位置する。
【００２９】
図４に示すように、ポケット２１には、吸汗材２３が収容される。吸汗材２３は、例えば、丸めたり折り畳んだりしたティッシュペーパ、トイレットペーパー、ハンカチ、タオル、吸水性を有する不織布などのシート材である。また、不織布やＳＡＰなどを親水シートで包んだ吸収パットであってもよい。また、ティッシュとしては、パルプに、天然グリセリン、ソルビットなどの保湿成分を含ませたものであってもよい。さらに、不織布としては、ＳＡＰを繊維の形態とした高吸水繊維性繊維で構成してもよいし、高吸水性繊維と非高吸水性繊維とを混合して構成してもよい。さらに、吸汗材２３は、肌触りを良くするため、その表面がエンボス加工されたものであってもよい。ポケット２１には、着用者が多く汗をかいているときなど、状況に応じて吸汗材２３が収容するようにして、おむつ１０を着用してから交換するまでの間、全ての期間、吸汗材２３を収容しなくてもよい。また、ポケット２１に収容する吸汗材２３の種類は、環境に応じて、ハンカチであったり、ティッシュであったり、適宜選択されるものである。吸汗材２３としては、ポケット２１に対する専用品（例えばポケット２１の大きさに合わせたもの）であってもよいし、汎用品（手持ちのハンカチやティッシュなど）であってもよい。
【００３０】
そして、吸汗材２３は、その大きさによって、ポケット２１に全て収容されてしまうような大きさであってもよいし、開口端２１Ａからはみ出す大きさであってもよい。そして、吸汗材２３がポケット２１からはみ出す大きさのときには、胴周り開口部１０Ａからははみ出さない大きさであってもよいし、胴周り開口端２１Ａの外まではみ出す大きさであってもよい。図４に示すように、吸汗材２３が胴周り開口端２１Ａの外まではみ出す大きさであるときには、後身頃１０Ｒの胴周り開口部１０Ａと肌との摩擦を緩和するとともに、胴周り開口部１０Ａの上側（背中）の汗なども一部吸収することができる。
【００３１】
以上、上記実施形態によれば以下に列挙する作用および効果を得ることができる。
（１）ポケット２１は、胴周り開口部１０Ａと吸収体１８の背側端部１８Ｘとの間に配置され、吸汗材２３を収容するようにしている。ポケット２１が背側端部１８Ｘを跨ぐように設けられているときには、吸収体１８が存在する部分と存在しない部分との厚さの相違による段差が生じる。このような配置のポケットに対して吸汗材２３を収容した場合、段差部分には、肌と吸汗材２３との間に隙間が生じる。このため、当該部分において、吸収性が他の密着した領域より劣るようになってしまうおそれがある。
【００３２】
この点、おむつ１０におけるポケット２１は、背側端部１８Ｘを跨ぐことなく、胴周り開口部１０Ａと吸収体１８の背側端部１８Ｘとの間の比較的平坦な位置に設けられるので、吸汗材２３と肌との間に隙間が生じにくくなって、密着性が向上する。これにより、吸汗材２３によって汗などをしっかりと吸収することができる。
【００３３】
（２）ポケット２１の胴周り方向の長さは、背側端部１８Ｘの胴周り方向の長さより長く設定されている。したがって、吸収体１８の上を胴周り開口部１０Ａの方向に流れた排泄物なども吸汗材２３で吸収することができ、背漏れの発生を抑えることができる。
【００３４】
（３）ポケット２１の開口端２１Ａは、胴周り開口部１０Ａよりも股下部１０Ｃ側に位置する。これにより、後身頃１０Ｒの内面において、ポケット２１において開口端２１Ａからはみ出すように吸汗材２３を収容することができる。吸汗材２３は、ポケット２１からはみ出した部分ではよりしっかりと汗などの水分を吸収することができる。
【００３５】
（４）ポケットシート２２は、疎水性シートに対して親水化処理を施して構成した場合、ポケットシート２２を通じて水分を吸汗材２３に吸収させることができる。また、ポケットシート２２は、疎水性シートに対して親水化処理を施すだけで容易に製造することができる。
【００３６】
（５）ポケットシート２２は、疎水性のシートに対して多数の孔を設けて構成した場合にも、ポケットシート２２を通じて水分を吸汗材２３に吸収させることができる。また、容易に製造することができる。
【００３７】
（６）ポケットシート２２は、親水性シートで構成した場合でも、ポケットシート２２を通じて水分を吸汗材２３に吸収させることができる。また、容易に製造することができる。
【００３８】
（７）乳幼児などは寝ていることが多く、布団と接する背中が蒸れやすい。ポケット２１は、後身頃１０Ｒに設けられている。したがって、ポケット２１に収容された吸汗材２３で、水分を吸収して、背中の蒸れを抑えることができる。
【００３９】
（８）ポケット２１は、ウェストギャザーの部分に設けられている。したがって、弾性部材１５の収縮によりポケットシート２２に皺がより開口端２１Ａが若干開く。したがって、吸汗材２３をポケット２１に収容するとき、開口端２１Ａを開け易くなる。
【００４０】
なお、上記実施形態は以下のように適宜変更して実施することもできる。
・ポケット２１は、次のように構成することもできる。図５および図６に示すポケット２１は、外装シート１３のうち第１胴周りシート１３Ａを股下部１０Ｃの方向に延長し、延長部分２２Ｂを胴周り開口部１０Ａの方向に折り返して構成することもできる。
【００４１】
この場合、延長部分２２Ｂの先端部がポケット２１の開口端２１Ａとなる。開口端２１Ａは、胴周り開口部１０Ａと同じ位置、すなわち胴周り開口部１０Ａに沿うように位置していてもよいが、ここでの開口端２１Ａの位置は、胴周り開口部１０Ａより低い位置、すなわち股下部１０Ｃ側に寄って位置する。開口端２１Ａと反対側に位置する折曲部２２Ｃ（ポケット２１の底辺を構成する部分）は、背側端部１８Ｘより胴周り開口部１０Ａ側に位置し、背側端部１８Ｘと重ならないように位置される。そして、延長部分２２Ｂは、胴周り方向において、背側端部１８Ｘより外側において、折曲部２２Ｃから開口端２１Ａを構成する先端部に至るまでが第１胴周りシート１３Ａに対して線状に接着される接着部２２Ａが構成される。２本の接着部２２Ａの間隔、すなわちポケット２１の胴周り方向の長さＬ１は、背側端部１８Ｘの胴周り方向の長さＬ２より長く設定される。なお、折曲部２２Ｃも第１胴周りシート１３Ａに対して接着するようにしてもよい。これにより、開口端２１Ａを胴周り開口部１０Ａ側とした凹部形状のポケット２１を構成することができる。
【００４２】
なお、ポケット２１における胴周り方向の外側領域２５にも、接着部２２Ａを設けることで追加的な更なるポケット２６を設けることもできる。ポケット２６は、接着部２２Ａと接合部１１との間の領域となる。この場合、ポケット２１に収容される吸汗材２３は、ポケット２１を構成するための接着部２２Ａによって、収容位置が規制される。これにより、ポケット２１の吸汗材２３は、背蒸れや背漏れを抑えることができる。ポケット２６にも新たな吸汗材２３Ａを収容するときには、より胴周り方向の広い範囲で背蒸れを抑えることができるようになる。なお、吸汗材２３Ａとしては、吸汗材２３と同じようなものを使用することができる。
【００４３】
図５および図６の変形例では、外装シート１３でポケット２１，２６を構成することができ、第１実施形態のポケット２１に比べてポケットシート２２が不要となる点で部品点数を削減することができる。なお、外側領域２５は、ポケット２６として使用しなくてもよい。
【００４４】
・ポケット２１は、前身頃１０Ｆの内面に設けるようにしてもよいし、後身頃１０Ｒおよび前身頃１０Ｆに設けるようにしてもよい。前身頃１０Ｆのポケット２１では、腹側の蒸れを抑制することができるとともに、腹漏れの発生を抑えることができる。また、前身頃１０Ｆにポケット２６を設けることも可能である。
【００４５】
・ポケットシート２２は、親水性を有する部分を備えない疎水性シートで構成されていてもよい。このような場合であっても、ポケット２１の開口端２１Ａからはみ出した吸汗材２３で湿気を吸収することができる。また、ポケットシート２２は、多数の孔を設けることによっても透水性を得ることができる。
【００４６】
・ポケット２１の胴周り方向の長さは、背側端部１８Ｘより長いのではなく同じであってもよい。また、背側端部１８Ｘより若干短くてもよい。また、ポケット２１は、胴周り方向の一方側においてのみ、背側端部１８Ｘからはみ出していてもよい。以上のような構成であっても、ポケット２１が胴周り方向において背側端部１８Ｘから両方にはみ出している場合とほぼ同程度の効果を得ることができるからである。
【００４７】
・ポケット２１の肌と接する面（ポケットシート２２や延長部分２２Ｂ）は、エンボス加工などが施し、肌触りを向上させるようにしてもよいし、保湿成分などを含ませるようにしてもよい。
【００４８】
・おむつ１０としては、立体ギャザーの他、レグギャザーを備えていてもよいし、立体ギャザーを省略しレグギャザーだけとしてもよい。
・使い捨ておむつとしては、テープ型のおむつであってもよい。また、乳幼児用又は介護を必要とする高齢者や障害者等の成人用の使い捨ておむつであってもよい。
【符号の説明】
【００４９】
１０Ａ…胴周り開口部、１０Ｃ…股下部、１０Ｆ…前身頃、１０Ｌ…脚周り開口部、１０Ｒ…後身頃、１０Ｗ…胴周り部、１１…接合部、１２Ｆ…第１外装体、１２Ｒ…第２外装体、１３…外装シート、１３Ａ…第１胴周りシート、１３Ｂ…第２胴周りシート、１４Ｅ…弾性部材、１４Ｓ…サイドシート、１５…弾性部材、１５Ａ…タミー弾性部材、１５Ｂ…インナーシート、１６…吸収性本体、１７…バックシート、１７Ａ…カバーシート、１８…吸収体、１８Ａ…コアラップ、１８Ｘ…背側端部、１９…トップシート、２１，２６…ポケット、２１Ａ…開口端、２２…ポケットシート、２２Ａ…接着部、２２Ｂ…延長部分、２２Ｃ…折曲部、２３，２３Ａ…吸汗材、２５…外側領域。
【図１】
2019216918.tif 000003
【図２】
2019216918.tif 000004
【図３】
2019216918.tif 000005
【図４】
2019216918.tif 000006
【図５】
2019216918.tif 000007
【図６】
2019216918.tif 000008